(57)【特許請求の範囲】
【請求項１】
液晶表示装置の表示駆動方法であって、
液晶表示装置は、マトリックス状に配列された複数のデータ線Ｄ１、Ｄ２と複数のゲート線Ｇ１、Ｇ２、Ｇ３、Ｇ４と、マトリックス状に配列された複数の画素１００、２００、３００と、を備え、
前記データ線は第１方向Ｄｒ１に沿って延在する配線であって、第２方向Ｄｒ２に、順に、第１データ線Ｄ１と、第２データ線Ｄ２と、が設けられ、
前記ゲート線は前記第２方向Ｄｒ２に沿って延在する配線であって、前記第１方向Ｄｒ１に、順に、第１ゲート線Ｇ１、第２ゲート線Ｇ２、第３ゲート線Ｇ３および第４ゲート線Ｇ４が設けられ、かつ、前記第１ゲート線Ｇ１、前記第２ゲート線Ｇ２、前記第３ゲート線Ｇ３および前記第４ゲート線Ｇ４はこの順に順次高レベルになる走査線であり、
前記画素として、前記第１方向Ｄｒ１に沿って、順に、第１カラーサブ画素１００と、第２カラーサブ画素２００と、第３カラーサブ画素と、が配列され、
前記第１カラーサブ画素１００は、前記第２方向Ｄｒ２に沿って配列された第１サブサブ画素１１０と第２サブサブ画素１２０とで構成されていて、
前記第１カラーサブ画素１００は、第１共有薄膜トランジスタＱＳ１と、第１薄膜トランジスタＱ１と、第２薄膜トランジスタＱ２と、前記第１サブサブ画素１１０の画素電極ＰＥ１と、前記第２サブサブ画素１２０の画素電極ＰＥ２と、を備え、
前記第１共有薄膜トランジスタＱＳ１のゲート電極は、前記第１ゲート線Ｇ１に電気的に接続され、
前記第１共有薄膜トランジスタＱＳ１のドレイン電極は、前記第１サブサブ画素１１０の画素電極ＰＥ１に電気的に接続され、
前記第１共有薄膜トランジスタＱＳ１のソース電極は、前記第２サブサブ画素１２０の画素電極ＰＥ２に電気的に接続され、
前記第１薄膜トランジスタＱ１のゲート電極は、前記第２ゲート線Ｇ２に電気的に接続され、
前記第１薄膜トランジスタＱ１のソース電極は、前記第１データ線Ｄ１に電気的に接続され、
前記第１薄膜トランジスタＱ１のドレイン電極は、前記第１サブサブ画素１１０の画素電極ＰＥ１に電気的に接続され、
前記第２薄膜トランジスタＱ２のゲート電極は、前記第２ゲート線Ｇ２に電気的に接続され、
前記第２薄膜トランジスタＱ２のソース電極は、前記第２データ線Ｄ２に電気的に接続され、
前記第２薄膜トランジスタＱ２のドレイン電極は、前記第２サブサブ画素１２０の画素電極ＰＥ２に電気的に接続され、
前記第２カラーサブ画素２００は、前記第２方向Ｄｒ２に沿って配列された第３サブサブ画素２１０と第４サブサブ画素２２０とで構成されていて、
前記第２カラーサブ画素２００は、第２共有薄膜トランジスタＱＳ２と、第３薄膜トランジスタＱ３と、第４薄膜トランジスタＱ４と、前記第３サブサブ画素２１０の画素電極ＰＥ３と、前記第４サブサブ画素２２０の画素電極ＰＥ４と、を備え、
前記第２共有薄膜トランジスタＱＳ２のゲート電極は、前記第２ゲート線Ｇ２に電気的に接続され、
前記第２共有薄膜トランジスタＱＳ２のドレイン電極は、前記第３サブサブ画素２１０の画素電極ＰＥ３に電気的に接続され、
前記第２共有薄膜トランジスタＱＳ２のソース電極は、前記第４サブサブ画素２２０の画素電極ＰＥ４に電気的に接続され、
前記第３薄膜トランジスタＱ３のゲート電極は、前記第３ゲート線Ｇ３に電気的に接続され、
前記第３薄膜トランジスタＱ３のソース電極は、前記第１データ線Ｄ１に電気的に接続され、
前記第３薄膜トランジスタＱ３のドレイン電極は、前記第３サブサブ画素２１０の画素電極ＰＥ３に電気的に接続され、
前記第４薄膜トランジスタＱ４のゲート電極は、前記第３ゲート線Ｇ３に電気的に接続され、
前記第４薄膜トランジスタＱ４のソース電極は、前記第２データ線Ｄ２に電気的に接続され、
前記第４薄膜トランジスタＱ４のドレイン電極は、前記第４サブサブ画素２２０の画素電極ＰＥ４に電気的に接続され、
前記第３カラーサブ画素３００は、前記第２方向Ｄｒ２に沿って配列された第５サブサブ画素３１０と第６サブサブ画素３２０とで構成されていて、
前記第３カラーサブ画素３００は、第３共有薄膜トランジスタＱＳ３と、第５薄膜トランジスタＱ５と、第６薄膜トランジスタＱ６と、前記第５サブサブ画素３１０の画素電極ＰＥ５と、前記第６サブサブ画素３２０の画素電極ＰＥ６と、を備え、
前記第３共有薄膜トランジスタＱＳ３のゲート電極は、前記第３ゲート線Ｇ３に電気的に接続され、
前記第３共有薄膜トランジスタＱＳ３のドレイン電極は、前記第５サブサブ画素３１０の画素電極ＰＥ５に電気的に接続され、
前記第３共有薄膜トランジスタＱＳ３のソース電極は、前記第６サブサブ画素３２０の画素電極ＰＥ６に電気的に接続され、
前記第５薄膜トランジスタＱ５のゲート電極は、前記第４ゲート線Ｇ４に電気的に接続され、
前記第５薄膜トランジスタＱ５のソース電極は、前記第１データ線Ｄ１に電気的に接続され、
前記第５薄膜トランジスタＱ５のドレイン電極は、前記第５サブサブ画素３１０の画素電極ＰＥ５に電気的に接続され、
前記第６薄膜トランジスタＱ６のゲート電極は、前記第４ゲート線Ｇ４に電気的に接続され、
前記第６薄膜トランジスタＱ６のソース電極は、前記第２データ線Ｄ２に電気的に接続され、
前記第６薄膜トランジスタＱ６のドレイン電極は、前記第６サブサブ画素３２０の画素電極ＰＥ６に電気的に接続されており、
当該液晶表示装置の表示駆動方法は、
１フレームの画像の表示にあたって、
前記１フレームの表示期間中の第１期間において、
前記第１ゲート線Ｇ１を高レベルにして、前記第１共有薄膜トランジスタＱＳ１をオンにして、前記第１サブサブ画素１１０の画素電極ＰＥ１と前記第２サブサブ画素１２０の画素電極ＰＥ２とで電荷共有させ、
前記第２ゲート線Ｇ２を高レベルにして、前記第１サブサブ画素１１０の画素電極ＰＥ１に第１極性で第１データ電圧を負荷し、かつ、前記第２サブサブ画素１２０の画素電極ＰＥ２に第２極性で第１データ電圧を負荷し、かつ、前記第２共有薄膜トランジスタＱＳ２をオンにして、前記第３サブサブ画素２１０の画素電極ＰＥ３と前記第４サブサブ画素２２０の画素電極ＰＥ４とで電荷共有させ、このときの前記第１サブサブ画素１１０と前記第２サブサブ画素１２０の輝度の和を第１輝度とし、
前記第３ゲート線Ｇ３を高レベルにして、前記第３サブサブ画素２１０の画素電極ＰＥ３に第１極性で第２データ電圧を負荷し、かつ、前記第４サブサブ画素２２０の画素電極ＰＥ４に第２極性で第２データ電圧を負荷し、かつ、前記第３共有薄膜トランジスタＱＳ３をオンにして、前記第５サブサブ画素３１０の画素電極ＰＥ５と前記第６サブサブ画素３２０の画素電極ＰＥ６とで電荷共有させ、このときの前記第３サブサブ画素２１０と前記第４サブサブ画素２２０の輝度の和を第３輝度とし、
前記第４ゲート線Ｇ４を高レベルにして、前記第５サブサブ画素３１０の画素電極ＰＥ５に第１極性で第３データ電圧を負荷し、かつ、前記第６サブサブ画素３２０の画素電極ＰＥ６に第２極性で第３データ電圧を負荷し、このときの前記第５サブサブ画素３１０と前記第６サブサブ画素３２０の輝度の和を第５輝度とし、
続いて、同じ前記１フレームの表示期間中の前記第１期間の次の期間である第２期間において、
前記第１ゲート線Ｇ１を高レベルにして、前記第１共有薄膜トランジスタＱＳ１をオンにして、前記第１サブサブ画素１１０の画素電極ＰＥ１と前記第２サブサブ画素１２０の画素電極ＰＥ２とで電荷共有させ、
前記第２ゲート線Ｇ２を高レベルにして、前記第１サブサブ画素１１０の画素電極ＰＥ１に第２極性で第１データ電圧を負荷し、かつ、前記第２サブサブ画素１２０の画素電極ＰＥ２に第１極性で第１データ電圧を負荷し、かつ、前記第２共有薄膜トランジスタＱＳ２をオンにして、前記第３サブサブ画素２１０の画素電極ＰＥ３と前記第４サブサブ画素２２０の画素電極ＰＥ４とで電荷共有させ、このときの前記第１サブサブ画素１１０と前記第２サブサブ画素１２０の輝度の和である第２輝度は前記第１輝度に等しく、
前記第３ゲート線Ｇ３を高レベルにして、前記第３サブサブ画素２１０の画素電極ＰＥ３に第２極性で第２データ電圧を負荷し、かつ、前記第４サブサブ画素２２０の画素電極ＰＥ４に第１極性で第２データ電圧を負荷し、かつ、前記第３共有薄膜トランジスタＱＳ３をオンにして、前記第５サブサブ画素３１０の画素電極ＰＥ５と前記第６サブサブ画素３２０の画素電極ＰＥ６とで電荷共有させ、このときの前記第３サブサブ画素２１０と前記第４サブサブ画素２２０の輝度の和である第４輝度は前記第３輝度に等しく、
前記第４ゲート線Ｇ４を高レベルにして、前記第５サブサブ画素３１０の画素電極ＰＥ５に第２極性で第３データ電圧を負荷し、かつ、前記第６サブサブ画素３２０の画素電極ＰＥ６に第１極性で第３データ電圧を負荷し、このときの前記第５サブサブ画素３１０と前記第６サブサブ画素３２０の輝度の和である第６輝度は前記第５輝度に等しい
ことを特徴とする液晶表示装置の表示駆動方法。
【請求項２】
請求項１に記載の液晶表示装置の表示駆動方法において、
前記第１カラーサブ画素と、前記第２カラーサブ画素と、前記第３カラーサブ画素とは、それぞれ赤色、緑色、青色の任意の組合せである
ことを特徴とする液晶表示装置の表示駆動方法。
【請求項３】
請求項１または請求項２に記載の液晶表示装置の表示駆動方法において、
前記第１方向は行方向であり、前記第２方向は列方向である
ことを特徴とする液晶表示装置の表示駆動方法。
【請求項４】
請求項１または請求項２に記載の液晶表示装置の表示駆動方法において、
前記第１方向は列方向であり、前記第２方向は行方向である
ことを特徴とする液晶表示装置の表示駆動方法。
【発明の詳細な説明】
【技術分野】
【０００１】
本発明は、２０１５年０４月２２日に提出した申請番号ＣＮ２０１５１０１９３３１７．６・発明名称「表示パネル及び表示装置」の先願優先権を要求し、前記先願の内容は引用の方法で本文中に合併される。
【０００２】
本発明は、表示分野に関し、特に、表示パネル及び表示装置に関する。
【背景技術】
【０００３】
液晶表示装置は、一般的な電子設備であって、質量が軽く、視野角が広いといった長所ゆえに幅広く使用されている。液晶パネルは、液晶表示装置のうちの重要な組立部品であるが、液晶表示パネルの中の液晶の製造過程において、液晶を完全に精製することができないため、液晶の製造過程において移動するイオンが残るのを防ぐことができない。前記液晶表示パネルが直流電圧を負荷する時、前記移動するイオンは前記移動するイオンと電圧極性が反対である電荷に引き付けられて電極に向かって移動することにより、液晶と配向膜のインターフェースにまで移動する。このインターフェース上に吸収されたこれらのイオンは、別の電極上の反対の電荷と内部磁気を形成するため、電圧を完全に印加しない時、液晶の配列は、内部電界のため所定の配列と異なることによって、残像が形成される。
【発明の概要】
【発明が解決しようとする課題】
【０００４】
本発明は、残像が形成されるのを防ぐ表示パネル及び表示装置を提供することを目的とする。
【課題を解決するための手段】
【０００５】
本発明は、表示パネルを提供する。前記表示パネルは、マトリックス状に配列された複数の画素からなる。前記画素に対応する薄膜トランジスタは、交流電圧によって駆動され、各画素は順番に、第１方向に沿って配列された第１カラーサブ画素と、第２カラーサブ画素と、第３カラーサブ画素を備える。前記第１カラーサブ画素は、第２方向に沿って配列された第１サブサブ画素及び第２サブサブ画素を備え、前記第２カラーサブ画素は、第２方向に沿って配列された第３サブサブ画素及び第４サブサブ画素を備え、前記第３カラーサブ画素は、第２方向に沿って配列された第５サブサブ画素及び第６サブサブ画素を備え、隣り合う各サブサブ画素が負荷する電圧極性は反対であるとともに、各サブ画素中のサブサブ画素が負荷する電圧極性が変化する時、電圧極性が変化した後の各サブ画素における２つのサブサブ画素の輝度の和と、電圧極性が変化する前の対応するサブ画素における２つのサブサブ画素の輝度の和は、同じである。
【０００６】
そのうち、前記第１サブサブ画素と前記第２サブサブ画素がそれぞれ第１極性電圧及び第２極性電圧を負荷する時、前記第１サブサブ画素と前記第２サブサブ画素の輝度の和は、第１輝度であり、前記第１サブサブ画素と前記第２サブサブ画素がそれぞれ第２極性電圧及び第１極性電圧を負荷する時、前記第１サブサブ画素と前記第２サブサブ画素の輝度の和は、第２輝度であり、前記第１輝度は、前記第２輝度に等しい。そのうち、前記第１極性電圧と前記第２極性電圧の電圧振幅は同じであるとともに、極性が反対である。
【０００７】
そのうち、前記表示パネルは、さらにマトリックス状に配列された複数のデータ線と複数のゲート線を備え、前記データ線は第１方向に沿って設けられ、前記ゲート線は第２方向に沿って設けられる。前記第１カラーサブ画素は、第１共有薄膜トランジスタと、第１薄膜トランジスタと、第２薄膜トランジスタに対応する。前記第１共有薄膜トランジスタのゲート電極は、第１ゲート線に電気的に接続され、前記第１共有薄膜トランジスタのドレイン電極とソース電極は、それぞれ第１サブサブ画素の画素電極及び第２サブサブ画素の画素電極に電気的に接続され、前記第１薄膜トランジスタのゲート電極、ソース電極、ドレイン電極は、それぞれ第２ゲート線、第１データ線、前記第１サブサブ画素の画素電極に接続される。前記第２薄膜トランジスタのゲート電極、ソース電極、ドレイン電極は、それぞれ第２ゲート線、第２データ線、前記第２サブサブ画素の画素電極に接続される。
【０００８】
そのうち、前記第３サブサブ画素と前記第４サブサブ画素がそれぞれ第１極性電圧及び第２極性電圧を負荷する時、前記第３サブサブ画素と前記第４サブサブ画素の輝度の和は、第３輝度である。前記第３サブサブ画素と前記第４サブサブ画素がそれぞれ第２極性電圧及び第１極性電圧を負荷する時、前記第３サブサブ画素と前記第４サブサブ画素の輝度の和は、第４輝度である。そのうち、前記第３輝度は、前記第４輝度に等しい。
【０００９】
そのうち、第２カラーサブ画素は、第２共有薄膜トランジスタと、第３薄膜トランジスタと、第４薄膜トランジスタに対応する。前記第２共有薄膜トランジスタのゲート電極は、前記第２ゲート線に電気的に接続され、前記第２共有薄膜トランジスタのドレイン電極とソース電極は、それぞれ第３サブサブ画素の画素電極及び第４サブサブ画素の画素電極に電気的に接続される。前記第３薄膜トランジスタのゲート電極、ソース電極、ドレイン電極は、それぞれ第３ゲート線、第１データ線、前記第３サブサブ画素の画素電極に接続される。前記第４薄膜トランジスタのゲート電極、ソース電極、ドレイン電極は、それぞれ第３ゲート線、第２データ線、第４サブサブ画素の画素電極に接続される。
【００１０】
そのうち、前記第５サブサブ画素と前記第６サブサブ画素が、それぞれ第１極性電圧と前記第２極性電圧を負荷する時、前記第５サブサブ画素と前記第６サブサブ画素の輝度の和は、第５輝度であり、前記第５サブサブ画素と前記第６サブサブ画素がそれぞれ第２極性電圧及び前記第１極性電圧を負荷する時、前記第５サブサブ画素と前記第６サブサブ画素の輝度の和は、第６輝度である。そのうち、前記第５輝度は、前記第６輝度に等しい。
【００１１】
そのうち、前記第３カラーサブ画素は、第３共有薄膜トランジスタと、第５薄膜トランジスタと、第６薄膜トランジスタに対応する。前記第３共有薄膜トランジスタのゲート電極は、前記第３ゲート電極に電気的に接続され、前記第３共有薄膜トランジスタのドレイン電極とソース電極は、それぞれ前記第５サブサブ画素の画素電極及び第６サブサブ画素の画素電極に電気的に接続される。前記第５薄膜トランジスタのゲート電極、ソース電極、ドレイン電極は、それぞれ第４ゲート線、第１データ線、第５サブサブ画素の画素電極に接続され、前記第６薄膜トランジスタのゲート電極、ソース電極、ドレイン電極は、それぞれ第４ゲート線、第２データ線、第６サブサブ画素の画素電極に接続される。
【００１２】
そのうち、前記第１カラーサブ画素と、前記第２カラーサブ画素と、前記第３カラーサブ画素は、それぞれ赤色、緑色、青色の任意の組合せである。
【００１３】
そのうち、前記第１方向は行方向であるとともに、前記第２方向は列方向である。
【００１４】
そのうち、前記第１方向は列方向であるとともに、前記第２方向は行方向である。
【００１５】
本発明は、さらに表示装置を提供する。前記表示装置は、表示パネルからなり、前記表示パネルは、マトリックス状に配列された複数の画素からなる。前記画素に対応する薄膜トランジスタは、交流電圧によって駆動され、各画素は順番に、第１方向に沿って配列された第１カラーサブ画素と、第２カラーサブ画素と、第３カラーサブ画素を備える。前記第１カラーサブ画素は、第２方向に沿って配列された第１サブサブ画素及び第２サブサブ画素を備え、前記第２カラーサブ画素は、第２方向に沿って配列された第３サブサブ画素及び第４サブサブ画素を備え、前記第３カラーサブ画素は、第２方向に沿って配列された第５サブサブ画素及び第６サブサブ画素を備え、隣り合う各サブサブ画素が負荷する電圧極性は反対であるとともに、各サブ画素中のサブサブ画素が負荷する電圧極性が変化する時、電圧極性が変化した後の各サブ画素における２つのサブサブ画素の輝度の和と、電圧極性が変化する前の対応するサブ画素における２つのサブサブ画素の輝度の和は、同じである。
【００１６】
そのうち、前記第１サブサブ画素と前記第２サブサブ画素がそれぞれ第１極性電圧及び第２極性電圧を負荷する時、前記第１サブサブ画素と前記第２サブサブ画素の輝度の和は、第１輝度である。前記第１サブサブ画素と前記第２サブサブ画素がそれぞれ第２極性電圧及び第１極性電圧を負荷する時、前記第１サブサブ画素と前記第２サブサブ画素の輝度の和は、第２輝度であり、前記第１輝度は、前記第２輝度に等しい。そのうち、前記第１極性電圧と前記第２極性電圧の電圧振幅は同じであるとともに、極性が反対である。
【００１７】
そのうち、前記表示パネルは、さらにマトリックス状に配列された複数のデータ線と複数のゲート線を備え、前記データ線は、第１方向に沿って設けられ、前記ゲート線は、第２方向に沿って設けられる。前記第１カラーサブ画素は、第１共有薄膜トランジスタと、第１薄膜トランジスタと、第２薄膜トランジスタに対応する。前記第１共有薄膜トランジスタのゲート電極は、第１ゲート線に電気的に接続され、前記第１共有薄膜トランジスタのドレイン電極とソース電極は、それぞれ第１サブサブ画素の画素電極及び第２サブサブ画素の画素電極に電気的に接続され、前記第１薄膜トランジスタのゲート電極、ソース電極、ドレイン電極は、それぞれ第２ゲート線、第１データ線、前記第１サブサブ画素の画素電極に接続される。前記第２薄膜トランジスタのゲート電極、ソース電極、ドレイン電極は、それぞれ第２ゲート線、第２データ線、前記第２サブサブ画素の画素電極に接続される。
【００１８】
そのうち、前記第３サブサブ画素と前記第４サブサブ画素がそれぞれ第１極性電圧及び第２極性電圧を負荷する時、前記第３サブサブ画素と前記第４サブサブ画素の輝度の和は、第３輝度である。前記第３サブサブ画素と前記第４サブサブ画素がそれぞれを第２極性電圧及び第１極性電圧を負荷する時、前記第３サブサブ画素と前記第４サブサブ画素の輝度の和は、第４輝度である。そのうち、前記第３輝度は、前記第４輝度に等しい。
【００１９】
そのうち、第２カラーサブ画素は、第２共有薄膜トランジスタと、第３薄膜トランジスタと、第４薄膜トランジスタに対応する。前記第２共有薄膜トランジスタのゲート電極は、前記第２ゲート線に電気的に接続され、前記第２共有薄膜トランジスタのドレイン電極とソース電極は、それぞれ第３サブサブ画素の画素電極及び第４サブサブ画素の画素電極に電気的に接続される。前記第３薄膜トランジスタのゲート電極、ソース電極、ドレイン電極は、それぞれ第３ゲート線、第１データ線、前記第３サブサブ画素の画素電極に接続され、前記第４薄膜トランジスタのゲート電極、ソース電極、ドレイン電極は、それぞれ第３ゲート線、第２データ線、第４サブサブ画素の画素電極に接続される。
【００２０】
そのうち、前記第５サブサブ画素と前記第６サブサブ画素が、それぞれ第１極性電圧と前記第２極性電圧を負荷する時、前記第５サブサブ画素と前記第６サブサブ画素の輝度の和は、第５輝度であり、前記第５サブサブ画素と前記第６サブサブ画素がそれぞれ第２極性電圧及び前記第１極性電圧を負荷する時、前記第５サブサブ画素と前記第６サブサブ画素の輝度の和は、第６輝度である。そのうち、前記第５輝度は、前記第６輝度に等しい。
【００２１】
そのうち、前記第３カラーサブ画素は、第３共有薄膜トランジスタと、第５薄膜トランジスタと、第６薄膜トランジスタに対応する。前記第３共有薄膜トランジスタのゲート電極は、前記第３ゲート電極に電気的に接続され、前記第３共有薄膜トランジスタのドレイン電極とソース電極は、それぞれ前記第５サブサブ画素の画素電極及び第６サブサブ画素の画素電極に電気的に接続される。前記第５薄膜トランジスタのゲート電極、ソース電極、ドレイン電極は、それぞれ第４ゲート線、第１データ線、第５サブサブ画素の画素電極に接続され、前記第６薄膜トランジスタのゲート電極、ソース電極、ドレイン電極は、それぞれ第４ゲート線、第２データ線、第６サブサブ画素の画素電極に接続される。
【００２２】
そのうち、前記第１カラーサブ画素と、前記第２カラーサブ画素と、前記第３カラーサブ画素は、それぞれ赤色、緑色、青色の任意の組合せである。
【００２３】
そのうち、前記第１方向は行方向であるとともに、前記第２方向は列方向である。
【００２４】
そのうち、前記第１方向は列方向であるとともに、前記第２方向は行方向である。
【００２５】
従来技術と比較して、本発明の表示パネルは、アレイ状に配列された複数の画素からなる。前記画素に対応する薄膜トランジスタは、交流電圧によって駆動されるとともに、各画素は順番に、第１方向に沿って配列された第１カラーサブ画素と、第２カラーサブ画素と、第３カラーサブ画素を備える。前記第１カラーサブ画素は、第２方向に沿って配列された第１サブサブ画素及び第２サブサブ画素を備え、前記第２カラーサブ画素は、第２方向に沿って配列された第３サブサブ画素及び第４サブサブ画素を備え、前記第３カラーサブ画素は、第２方向に沿って配列された第５サブサブ画素及び第６サブサブ画素を備える。隣り合う各サブサブ画素が負荷する電圧極性は反対であるとともに、各サブ画素中のサブサブ画素が負荷する電圧極性が変化する時、電圧極性が変化した後の各サブ画素における２つのサブサブ画素の輝度の和と、電圧極性が変化する前の対応するサブ画素における２つのサブサブ画素の輝度の和は同じである。本発明の表示パネルにおいて、画素が対応する薄膜トランジスタは交流電圧によって駆動するため、電圧極性が異なる時、表示パネルが残像を形成するのを防ぐことができる。
【００２６】
さらに、本発明は、サブ画素を２つのサブサブ画素に分割するとともに、各サブ画素中のサブサブ画素が負荷する電圧極性が変化する時、電圧極性が変化した後の各サブ画素における２つのサブサブ画素の輝度の和が引き続き変化しないことによって、さらに表示パネルにおける画面を表示する際に生じるフリッカーを防ぐことができる。
【発明の効果】
【００２７】
さらに、前記共有薄膜トランジスタが設けられることによって、前記表示パネルの充電効率が向上する。さらに、１つ後ろの行の前記共有薄膜トランジスタのゲート電極と１つ前の行の２つの薄膜トランジスタのゲート電極は、同じラインのゲート線に接続されることによって、１つ前の行の共有薄膜トランジスタを充電する時、同時に１つ後ろの行のサブ画素における２つのサブサブ画素に電荷共有を行うことで、１つ後ろの行の充電効率が向上し、前記表示パネルの論理的上の消費電力が小さくなる。
【図面の簡単な説明】
【００２８】
本発明の実施例または従来技術における技術案をさらに分かりやすく説明するため、以下に実施例または従来技術の説明において必要とされる図について簡単に紹介する。見て分かるとおり、以下に描写する図は、本発明の実施例の一部に過ぎず、本領域の一般の技術者にとって、創造力を働かせなくても、これらの図に基づいてその他の図を取得できるものとする。
【図１】本発明の比較的好ましい実施方法における表示パネルの構造を示した図である。
【図２】本発明の比較的好ましい実施方法における表示パネルの駆動回路を示した図である。
【図３】本発明の比較的好ましい実施方法における表示装置の構造を示した図である。
【発明を実施するための形態】
【００２９】
以下に本発明の実施例の図と組み合わせて、本発明の実施例における技術案をさらに分かりやすく、すべて説明する。明らかな点として、以下に描写する実施例は、本発明の一部の実施例に過ぎず、すべての実施例ではない。本発明の実施例に基づいて、本領域の一般の技術者が創造力を働かせずに取得したすべてのその他の実施例は、すべて本発明の保護範囲内に含まれるものとする。
【００３０】
図１を参照する。図１は、本発明の比較的好ましい実施方法における表示パネルの構造を示した図である。前記表示パネル１は、マトリックス状に配列された複数の画素１０からなる。前記画素１０に対応する薄膜トランジスタは、交流電圧によって駆動し、各画素１０は順番に、第１方向Ｄｒ１に沿って配列された第１カラーサブ画素（ｓｕｂ  ｐｉｘｅｌ）１００と、第２カラーサブ画素２００と、第３カラーサブ画素３００を備える。前記第１カラーサブ画素１００は、第２方向Ｄｒ２に沿って配列された第１サブサブ画素（ｓｕｂ−ｓｕｂ  ｐｉｘｅｌ）１１０及び第２サブサブ画素１２０を備え、前記第２カラーサブ画素２００は、第２方向Ｄｒ２に沿って配列された第３サブサブ画素２１０及び第４サブサブ画素２２０を備え、前記第３カラーサブ画素３００は、第２方向Ｄｒ２に沿って配列された第５サブサブ画素３１０及び第６サブサブ画素３２０を備え、隣り合う各サブサブ画素が負荷する電圧極性は反対である。具体的には、各画素中の隣り合う各サブサブ画素が負荷する電圧極性は反対であり、異なる画素中の隣り合うサブサブ画素が負荷する電圧極性は反対である。さらに、各サブ画素中のサブサブ画素が負荷する電圧極性が変化する時、電圧極性が変化した後の各サブサブ画素における２つのサブサブ画素の輝度の和と、電圧極性が変化する前の対応するサブ画素における２つのサブサブ画素の輝度の和は、同じである。
【００３１】
前記第１カラーサブ画素１００と、前記第２カラーサブ画素２００と、前記第３カラーサブ画素３００は、それぞれ赤色（Ｒｅｄ、  Ｒ）、緑色（Ｇｒｅｅｎ、Ｇ）、青色（Ｂｌｕｅ、Ｂ）の任意の組み合わせである。実施方法において、前記第１カラーサブ画素１００、前記第２カラーサブ画素２００、前記第３カラーサブ画素３００は、それぞれ赤色、緑色、青色である。別の実施方法において、前記第１カラーサブ画素１００、前記第２カラーサブ画素２００、前記第３カラーサブ画素３００は、それぞれ緑色、青色、赤色である。さらに別の実施方法において、前記第１カラーサブ画素１００、前記第２カラーサブ画素２００、前記第３カラーサブ画素３００は、それぞれ青色、赤色、緑色である。理解できるように、前記画素１０における第１カラーサブ画素１００、前記第２カラーサブ画素２００、前記第３カラーサブ画素３００は、上述の３通りの方法で説明されたＲ、Ｇ、Ｂの組み合わせに限定されない。
【００３２】
実施方法において、前記第１方向Ｄｒ１は行方向であるとともに、前記第２方向Ｄｒ２は列方向である。理解できるように、その他の実施方法において、前記第１方向Ｄｒ１は列方向であるとともに、前記第２方向Ｄｒ２は行方向である。
【００３３】
具体的には、以下の３つの隣り合う画素を例として、隣り合う各サブサブ画素が負荷する電圧極性が反対である点について説明する。説明しやすくするため、３つの隣り合う画素をそれぞれ１０ａ、１０ｂ、１０ｃとする。前記画素１０ａと前記画素１０ｂは、前記第１方向Ｄｒ１に沿って設けられ、前記画素１０ａと前記画素１０ｃは、前記第２方向Ｄｒ２に沿って設けられる。前記画素１０ａにおいて、前記第１サブサブ画素１１０が負荷する極性は、正の電圧であり、図１において、極性が正の電圧を"＋"とする。前記第２サブサブ画素１２０が負荷する極性は、負の電圧であり、図１において、極性が負の電圧を"−"とする。前記第３サブサブ画素２１０は、前記第１サブサブ画素１１０の近くに設けられるとともに、前記第３サブサブ画素２１０が負荷する極性は、負の電圧であり、前記第４サブサブ画素２２０は、前記第２サブサブ画素１２０の近くに設けられるとともに、前記第４サブサブ画素２２０が負荷する極性は、正の電圧である。前記第５サブサブ画素３１０は、前記第３サブサブ画素２１０の近くに設けられるとともに、前記第５サブサブ画素３１０が負荷する極性は、正の電圧であり、前記第６サブサブ画素３２０は、前記第４サブサブ画素２２０の近くに設けられるとともに、前記第６サブサブ画素３２０が負荷する極性は、負の電圧である。明らかなとおり、前記画素１０ａにおいて、隣り合う各サブサブ画素が負荷する電圧極性は反対である。
【００３４】
以下に前記画素１０ｂにおける各サブサブ画素が負荷する電圧の極性について紹介する。前記画素１０ｂ中の第１サブサブ画素１１０は、前記画素１０ａ中の第５サブサブ画素３１０の近くに設けられるとともに、前記画素１０ｂ中の第１サブサブ画素１１０が負荷する極性は、負の電圧である。前記第２サブサブ画素１２０は、前記画素１０ａ中の第６サブサブ画素３２０の近くに設けられるとともに、前記画素１０ｂ中の第２サブサブ画素１２０が負荷する極性は、正の電圧である。前記画素１０ｂ中の第３サブサブ画素２１０は、前記第１サブサブ画素１１０の近くに設けられるとともに、前記第３サブサブ画素２１０が負荷する極性は、正の電圧であり、前記第４サブサブ画素２２０は、前記第２サブサブ画素１２０の近くに設けられるとともに、前記第４サブサブ画素２２０が負荷する極性は、負の電圧である。前記第５サブサブ画素３１０は、前記第３サブサブ画素２１０の近くに設けられるとともに、前記第５サブサブ画素３１０が負荷する極性は、負の電圧であり、前記第６サブサブ画素３２０は、前記第４サブサブ画素２２０の近くに設けられるとともに、前記第６サブサブ画素３２０が負荷する極性は、正の電圧である。明らかなとおり、前記画素１０ｂにおいて、隣り合う各サブサブ画素が負荷する電圧極性は、反対である。さらに、前記画素１０ｂと前記画素１０ａにおける隣り合うサブ画素が負荷する電圧極性は、反対である。つまり、前記画素１０ｂ中の前記第１サブサブ画素１１０及び前記第２サブサブ画素１２０は、それぞれ前記画素１０ａ中の前記第５サブサブ画素３１０及び第６サブサブ画素３２０と隣接しているとともに、前記画素１０ｂ中の前記第１サブサブ画素１１０と前記画素１０ａ中の前記第５サブサブ画素３１０が負荷する電圧極性は反対であり、前記画素１０ｂ中の前記第２サブサブ画素１２０と前記画素１０ａ中の前記第６サブサブ画素３２０が負荷する電圧極性は反対である。
【００３５】
以下に前記画素１０ｃにおける各サブ画素が負荷する電圧について紹介する。前記画素１０ｃ中の第１サブサブ画素１１０は、前記画素１０ａ中の第２サブサブ画素１２０の近くに設けられるとともに、前記画素１０ｃ中の第１サブサブ画素１１０が負荷する極性は、正の電圧である。前記画素１０ｃ中の第２サブサブ画素１２０は、前記画素１０ｃ中の第１サブサブ画素１１０の近くに設けられるとともに、前記画素１０ｃ中の第２サブサブ画素１２０が負荷する極性は、負の電圧である。前記画素１０ｃ中の第３サブサブ画素２１０は、前記画素１０ａ中の第４サブサブ画素２２０の近くに設けられるとともに、前記画素１０ｃ中の第３サブサブ画素２１０が負荷する極性は、負の電圧である。前記画素１０ｃ中の第４サブサブ画素２２０は、前記画素１０ｃ中の第３サブサブ画素２１０の近くに設けられるとともに、前記画素１０ｃ中の第４サブサブ画素２２０が負荷する極性は、正の電圧である。前記画素１０ｃ中の第５サブサブ画素３１０は、前記画素１０ａ中の第６サブサブ画素３２０の近くに設けられるとともに、前記画素１０ｃ中の第５サブサブ画素３１０が負荷する極性は、正の電圧である。前記画素１０ｃ中の第６サブサブ画素３２０は、前記画素１０ｃ中の第５サブサブ画素３１０の近くに設けられるとともに、前記画素１０ｃ中の第６サブサブ画素３２０が負荷する極性は、負の電圧である。明らかなとおり、前記画素１０ｃにおいて、各隣り合うサブ画素が負荷する電圧極性は反対である。さらに、前記画素１０ｃと前記画素１０ａにおいて、隣り合うサブ画素が負荷する電圧極性は反対である。
【００３６】
前記画素１０において、前記第１サブサブ画素１１０と前記第２サブサブ画素１２０がそれぞれ第１極性電圧及び第２極性電圧を負荷する時、前記第１サブサブ画素１１０と前記第２サブサブ画素１２０の輝度の和は、第１輝度である。電圧が反転する時、前記第１サブサブ画素１１０と前記第２サブサブ画素１２０は、それぞれ第２極性電圧及び第１極性電圧を負荷する場合、前記第１サブサブ画素１１０と前記第２サブサブ画素１２０の輝度の和は、第２輝度である。前記第１輝度は、前記第２輝度に等しいとともに、前記第１極性電圧と前記第２極性電圧の電圧振幅は同じであり、極性は反対である。前記第１極性電圧の極性が正である場合、前記第２極性電圧の極性は負である。前記第１極性電圧の極性が負である場合、前記第２極性電圧の極性は正である。
【００３７】
前記第３サブサブ画素２１０と前記第４サブサブ画素２２０は、それぞれ第１極性電圧及び第２極性電圧を負荷する時、前記第３サブサブ画素２１０と前記第４サブサブ画素２２０の輝度の和は第３輝度であり、前記第３サブサブ画素２１０と前記第４サブサブ画素２２０の輝度の和は第４輝度である。そのうち、前記第３輝度は前記第４輝度に等しい。
【００３８】
前記第５サブサブ画素３１０と前記第６サブサブ画素３２０が、それぞれ第１極性電圧と前記第２極性電圧を負荷する時、前記第５サブサブ画素３１０と前記第６サブサブ画素３２０の輝度の和は第５輝度であり、前記第５サブサブ画素３１０と前記第６サブサブ画素３２０が、それぞれ第２極性電圧及び前記第１極性電圧を負荷する時、前記第５サブサブ画素３１０と前記第６サブサブ画素３２０の輝度の和は第６輝度である。そのうち、前記第５輝度は前記第６輝度に等しい。
【００３９】
図２を参照する。図２は、本発明の比較的好ましい実施方法における表示パネルの駆動回路を示した図である。前記表示パネル１は、マトリックス状に配列された複数のデータ線と複数のゲート線からなる。各データ線は、前記第１方向Ｄｒ１に沿って設けられ、各ゲート線は、前記第２方向Ｄｒ２に沿って設けられる。前記第１カラーサブ画素１００は、第１共有薄膜トランジスタＱＳ１と、第１薄膜トランジスタＱ１と、第２薄膜トランジスタＱ２に対応する。前記第１共有薄膜トランジスタＱＳ１と、前記第１薄膜トランジスタＱ１と、前記第２薄膜トランジスタＱ２は、それぞれゲート電極と、ソース電極と、ドレイン電極を備える。前記第１共有薄膜トランジスタＱＳ１のゲート電極は、前記第１ゲート線Ｇ１に電気的に接続され、前記第１共有薄膜トランジスタＱＳ１のドレイン電極とソース電極は、それぞれ前記第１サブサブ画素１１０の画素電極ＰＥ１及び前記第２サブサブ画素１２０の画素電極ＰＥ２に接続される。前記第１薄膜トランジスタＱ１のゲート電極、ソース電極、ドレイン電極は、それぞれ第２ゲート線Ｇ２、第１データ線Ｄ１、前記第１サブサブ画素１１０の画素電極ＰＥ１に接続される。前記第２薄膜トランジスタＱ２のゲート電極、ソース電極、ドレイン電極は、それぞれ第２ゲート線Ｇ２、第２データ線Ｄ２、前記第２サブサブ画素１２０の第２画素電極ＰＥ２に接続される。前記第１共有薄膜トランジスタＱＳ１が設けられることによって前記表示パネル１０の充電効率が向上する。
【００４０】
第２カラーサブ画素２００は、第２共有薄膜トランジスタＱＳ２と、第３薄膜トランジスタＱ３と、第４薄膜トランジスタＱ４に対応する。前記第２共有薄膜トランジスタＱＳ２のゲート電極は、前記第２ゲート線Ｄ２に電気的に接続され、前記第２共有薄膜トランジスタＱＳ２のドレイン電極とソース電極は、それぞれ第３サブサブ画素２１０の画素電極ＰＥ３及び第４サブサブ画素２２０の画素電極ＰＥ４に電気的に接続される。前記第３薄膜トランジスタＱ３のゲート電極、ソース電極、ドレイン電極は、それぞれ第３ゲート線Ｇ３、第１データ線Ｄ１、前記第３サブサブ画素２１０の画素電極ＰＥ３に接続される。前記第４薄膜トランジスタＱ４のゲート電極、ソース電極、ドレイン電極は、それぞれ第３ゲート線Ｇ３、第２データ線Ｄ２、第４サブサブ画素２２０の画素電極ＰＥ４に接続される。前記第２共有薄膜トランジスタＱＳ２が設けられることによって前記表示パネル１０の充電效率が向上する。
【００４１】
前記第３カラーサブ画素３００は、第３共有薄膜トランジスタＱＳ３と、第５薄膜トランジスタＱ５と、第６薄膜トランジスタＱ６に対応する。前記第３共有薄膜トランジスタＱＳ３のゲート電極は、前記第３ゲート電極に電気的に接続され、前記第３共有薄膜トランジスタＱＳ３のドレイン電極とソース電極は、それぞれ前記第５サブサブ画素３１０の画素電極ＰＥ５及び第６サブサブ画素３２０の画素電極ＰＥ６に電気的に接続される。前記第５薄膜トランジスタＱ５のゲート電極、ソース電極、ドレイン電極は、それぞれ第４ゲート線Ｇ４、第１データ線、第５サブサブ画素３１０の画素電極ＰＥ５に接続される。前記第６薄膜トランジスタのゲート電極、ソース電極、ドレイン電極は、それぞれ第４ゲート線Ｇ４、第２データ線Ｄ２、第６サブサブ画素３２０の画素電極ＰＥ６に接続される。前記第３共有薄膜トランジスタＱＳ３が設けられることによって前記表示パネル１０の充電效率が向上する。
【００４２】
従来技術と比較して、本発明の表示パネル１は、アレイ状に配列された複数の画素１０からなる。前記画素１０に対応する薄膜トランジスタは、交流電圧によって駆動するとともに、各画素１０は順番に、第１方向Ｄｒ１に沿って配列された第１カラーサブ画素１００と、第２カラーサブ画素２００と、第３カラーサブ画素３００を備える。前記第１カラーサブ画素１００は、第２方向Ｄｒ２に沿って配列された第１サブサブ画素１１０及び第２サブサブ画素１２０を備え、前記第２カラーサブ画素２００は、第２方向Ｄｒ２に沿って配列された第３サブサブ画素２１０及び第４サブサブ画素２２０を備え、前記第３カラーサブ画素３００は、第２方向Ｄｒ２に沿って配列された第５サブサブ画素３１０及び第６サブサブ画素３２０を備える。隣り合う各サブサブ画素が負荷する電圧極性は反対であるとともに、各サブ画素中のサブサブ画素が負荷する電圧極性が変化する時、電圧極性が変化した後の各サブ画素における２つのサブサブ画素の輝度の和と、電圧極性が変化する前の対応するサブ画素における２つのサブサブ画素の輝度の和は同じである。本発明の表示パネルにおいて、画素が対応する薄膜トランジスタは交流電圧によって駆動するため、電圧極性が異なる時、表示パネル１が残像を形成するのを防ぐことができる。
【００４３】
さらに、本発明は、サブ画素を２つのサブサブ画素に分割するとともに、各サブ画素中のサブサブ画素が負荷する電圧極性が変化する時、電圧極性が変化した後の各サブ画素における２つのサブサブ画素の輝度の和が引き続き変化しないことによって、さらに表示パネルの画面を表示する際に生じるフリッカーを防ぐことができる。
【００４４】
さらに、前記共有薄膜トランジスタが設けられることによって前記表示パネル１の充電効率が向上する。さらに、前記１つ後ろの行の共有薄膜トランジスタのゲート電極と１つ前の行の２つの薄膜トランジスタのゲート電極は、同じラインのゲート線に接続されることによって、１つ前の行の共有薄膜トランジスタを充電する時、同時に１つ後ろの行のサブ画素における２つのサブサブ画素に電荷共有を行うことで、１つ後ろの行の充電効率が向上し、前記表示パネル１の論理的上の消費電力が小さくなる。例えば、前記第２共有薄膜トランジスタＱＳ２のゲート電極と、前記第１薄膜トランジスタＱ１のゲート電極と、前記第２薄膜トランジスタＱ２のゲート電極は、前記同じゲート線（ここでは第１ゲート線Ｇ１）に接続される。よって、第１カラーサブ画素１００における第１サブサブ画素１１０及び前記第２サブサブ画素１２０がそれぞれ前記第１薄膜トランジスタＱ１及び前記第２薄膜トランジスタＱ２によって充電する時、前記第２共有薄膜トランジスタＱＳ２は、前記第３薄膜トランジスタＱ３及び前記第４薄膜トランジスタＱ４に電荷共有を行うことによって、前記第３薄膜トランジスタＱ３及び前記第４薄膜トランジスタＱ４の充電效率が向上し、前記表示パネル１の論理的上の消費電力が小さくなる。
【００４５】
以下に図１、図２と、上述の説明を組み合わせて、本発明が提供する表示装置について説明する。図３を参照する。図３は、本発明の比較的好ましい実施方法における表示装置の構造を示した図である。前記表示装置２は、上述の表示パネル１からなる。前記表示パネル１については上述の説明を参照し、ここでは贅言しない。
【００４６】
上述に開示した内容は、本発明の比較的好ましい実施例に過ぎず、当然のことながら、これによって本発明の特許請求範囲を限定することはできず、本領域の一般の技術者は上述の実施例のすべてのまたは一部の工程を理解し実行できるものとする。さらに本発明の請求範囲に基づいて加えられた同等の変化も、本発明の請求範囲内に属するものとする。
【符号の説明】
【００４７】
１  表示パネル
１０  画素
Ｄｒ１  第１方向
Ｄｒ２  第２方向    
１００  第１カラーサブ画素
２００  第２カラーサブ画素
３００  第３カラーサブ画素
１１０  第１サブサブ画素
１２０  第２サブサブ画素
２１０  第３サブサブ画素
２２０  第４サブサブ画素
３１０  第５サブサブ画素
３２０  第６サブサブ画素
Ｑ１  第１薄膜トランジスタ
Ｑ２  第２薄膜トランジスタ
Ｑ３  第３薄膜トランジスタ
Ｑ４  第４薄膜トランジスタ
Ｑ５  第５薄膜トランジスタ
Ｑ６  第６薄膜トランジスタ
ＱＳ１  第１共有薄膜トランジスタ
ＱＳ２  第２共有薄膜トランジスタ
ＱＳ３  第３共有薄膜トランジスタ
Ｇ１  第１ゲート線
Ｇ２  第２ゲート線
Ｇ３  第３ゲート線
Ｇ４  第４ゲート線
Ｄ１  第１データ線
Ｄ２  第２データ線
ＰＥ  画素電極
【図１】
0006441493.tif 000002
【図２】
0006441493.tif 000003
【図３】
0006441493.tif 000004